(57)【要約】【課題】ユーザの作業性を向上させることができる画像形成装置を提供することを目的とする。【解決手段】画像形成装置１は、画像形成した用紙を排出する用紙排出部３８と、用紙排出部３８から排出された用紙が積載される積載トレイ５０と、積載トレイ５０の上方に設けられ積載トレイ５０を覆う本体庇部６０とを備えている。積載トレイ５０は、用紙の排出方向Ｘで用紙排出部３８と反対側に位置する取出側トレイ端部５０ａに、上方側へ突出した突出部５１と、下方側に広がった用紙取出部５２とを備えている。本体庇部６０の下面６０ｂには、用紙Ｐの排出方向Ｘで用紙排出部３８と反対側に位置する取出側本体端部６０ａに向かうに従って上方へ傾斜した庇傾斜部６０ｃが設けられている。突出部５１は、排出方向Ｘで取出側トレイ端部５０ａに向かうに従って上方へ傾斜している。【選択図】図４
2014081535.tif 000002
【特許請求の範囲】
【請求項１】
画像形成した用紙を排出する用紙排出部と、前記用紙排出部から排出された用紙が積載される積載トレイと、前記積載トレイの上方に設けられ前記積載トレイを覆う本体庇部とを備える画像形成装置であって、
前記積載トレイは、用紙の排出方向で前記用紙排出部と反対側に位置する取出側トレイ端部に、上方側へ突出した突出部と、下方側に広がった用紙取出部とを備え、
前記本体庇部の下面には、用紙の排出方向で前記用紙排出部と反対側に位置する取出側本体端部に向かうに従って上方へ傾斜した庇傾斜部が設けられ、
前記突出部は、前記排出方向で前記用紙排出部から前記取出側トレイ端部に向かうに従って上方へ傾斜しており、
前記用紙取出部は、前記排出方向で前記取出側トレイ端部に向かうに従って下方へ広がった構造とされていること
を特徴とする画像形成装置。
【請求項２】
請求項１に記載の画像形成装置であって、
前記庇傾斜部の前記排出方向における前記用紙排出部側の端部は、前記突出部の前記排出方向における前記用紙排出部側の端部より該用紙排出部に近いこと
を特徴とする画像形成装置。
【請求項３】
請求項１または請求項２に記載の画像形成装置であって、
前記用紙取出部は、上方に突出した凸曲面または下方に突出した凹曲面であること
を特徴とする画像形成装置。
【請求項４】
請求項１から請求項３までのいずれか１つに記載の画像形成装置であって、
前記用紙取出部は、２箇所に設けられ、前記積載トレイに積載された用紙の幅方向で、前記突出部の両隣にそれぞれ配置されていること
を特徴とする画像形成装置。
【請求項５】
請求項１から請求項４までのいずれか１つに記載の画像形成装置であって、
前記突出部は、前記積載トレイより上方に突出した複数の突出リブと、前記積載トレイを前記排出方向に延長する補助トレイとを備える構成とされ、
前記突出リブは、前記積載トレイに積載された用紙の幅方向において、前記補助トレイの両隣にそれぞれ配置されていること
を特徴とする画像形成装置。
【発明の詳細な説明】
【技術分野】
【０００１】
本発明は、画像形成した用紙を排出する用紙排出部と、用紙排出部から排出された用紙が積載される積載トレイと、積載トレイを覆う本体庇部とを備える画像形成装置に関する。
【背景技術】
【０００２】
近年、コピー機などの画像形成装置には、様々な機能が求められており、ファックスやスキャナなどを兼ね備えた複合機が広く利用されている。ところで、画像形成装置では、画像形成する画像記録部と画像を読み取る画像読取部との間に排紙トレイを設けた胴内排紙方式が考案されている。胴内排紙方式を採用することで、画像読取部に面していない画像記録部の側面に排紙トレイを設けた構造よりも、画像形成装置の小型化を図ることができる。
【０００３】
現在、画像形成装置には、更なる小型化が要望されており、画像読取部と画像記録部とを近づけて排紙トレイの空間を狭くすることが検討されている。しかしながら、排紙トレイの空間を狭くすることで、ユーザが手を挿入する空間が確保されず、用紙を回収する際の利便性が損なわれていた。このような課題に対して、排出された用紙を容易に取り出すことができる構造が提案されている（例えば、特許文献１および特許文献２参照。）。
【先行技術文献】
【特許文献】
【０００４】
【特許文献１】特開２０１１−１９７５７３号公報
【特許文献２】特開２０１１−９３３２４号公報
【発明の概要】
【発明が解決しようとする課題】
【０００５】
特許文献１に記載の画像形成装置では、装置本体と装置本体の上部に設けたスキャナとの間に排紙トレイ部が設けられており、排紙トレイ部は、使用者の手の指が排紙された用紙にアクセス可能な段差部を有している。しかしながら、上述した構成では、段差部が用紙の側部よりも奥方に入り込んでいることから、用紙は、側部が排紙トレイ部に支持されないため、段差部寄りに積載された際に自重で排紙トレイ部から滑り落ちる虞がある。
【０００６】
特許文献２に記載の画像記録装置では、装置本体と、装置本体の開口内に配置された第１トレイと、第１トレイの上方に配置され排出された用紙が積載される第２トレイとを備え、第２トレイは、第１姿勢と第１姿勢より下方の第２姿勢との間で姿勢変化する構成とされている。上述した構成では、第２トレイを第２姿勢へ姿勢変化させて、第２トレイ上の空間を拡張することで、ユーザが開口の奥まで手を入れることが可能となり、小サイズ用紙の取り出しを容易にしている。しかしながら、用紙の上の空間を拡張しても用紙の上面に触れるだけであって、用紙を掴んで回収することができないため、用紙を回収する際の利便性を向上させるという課題を解決するには不十分である。
【０００７】
本発明は、上記の課題を解決するためになされたものであり、積載トレイの端部に高さの異なる部分を形成して、ユーザが用紙を掴むための空間を設けた構造とすることで、ユーザの作業性を向上させることができる画像形成装置を提供することを目的とする。
【課題を解決するための手段】
【０００８】
本発明に係る画像形成装置は、画像形成した用紙を排出する用紙排出部と、前記用紙排出部から排出された用紙が積載される積載トレイと、前記積載トレイの上方に設けられ前記積載トレイを覆う本体庇部とを備える画像形成装置であって、前記積載トレイは、用紙の排出方向で前記用紙排出部と反対側に位置する取出側トレイ端部に、上方側へ突出した突出部と、下方側に広がった用紙取出部とを備え、前記本体庇部の下面には、用紙の排出方向で前記用紙排出部と反対側に位置する取出側本体端部に向かうに従って上方へ傾斜した庇傾斜部が設けられ、前記突出部は、前記排出方向で前記用紙排出部から前記取出側トレイ端部に向かうに従って上方へ傾斜しており、前記用紙取出部は、前記排出方向で前記取出側トレイ端部に向かうに従って下方へ広がった構造とされていることを特徴とする。
【０００９】
この構成によると、突出部によって用紙を支え、用紙取出部によって用紙の下方に空間を設ける構造とされている。
【００１０】
本発明に係る画像形成装置では、前記庇傾斜部の前記排出方向における前記用紙排出部側の端部は、前記突出部の前記排出方向における前記用紙排出部側の端部より該用紙排出部に近い位置とされている構成としてもよい。
【００１１】
この構成によると、庇傾斜部が突出部よりも用紙排出部に近い位置に設けられているため、突出部によって、積載トレイと庇傾斜部との間隔が狭くならず、積載トレイへの用紙の積載量が確保されている。
【００１２】
本発明に係る画像形成装置では、前記積載トレイと前記庇傾斜部との間隔は、前記排出方向で前記取出側本体端部に向かうに従って広くなっている構成としてもよい。
【００１３】
この構成によると、積載トレイと庇傾斜部との間隔が徐々に広くなる構造とされている。
【００１４】
本発明に係る画像形成装置では、前記用紙取出部は、前記排出方向で前記取出側トレイ端部に向かうに従って下方へ傾斜している構成としてもよい。
【００１５】
この構成によると、取出側において、用紙の下方の空間がさらに広くなる構造とされている。
【００１６】
本発明に係る画像形成装置では、前記用紙取出部は、上方に突出した凸曲面または下方に突出した凹曲面である構成としてもよい。
【００１７】
この構成によると、用紙取出部を凸曲面とすることで、内部の空間を広くしている。また、用紙取出部を凹曲面とすることで、用紙の下方の空間をさらに広くしている。
【００１８】
本発明に係る画像形成装置では、前記用紙取出部は、前記積載トレイより下方に設けられた段差部である構成としてもよい。
【００１９】
この構成によると、平易な構造で用紙の下方の空間を広くしている。
【００２０】
本発明に係る画像形成装置では、前記用紙取出部は、２箇所に設けられ、前記積載トレイに積載された用紙の幅方向で、前記突出部の両隣にそれぞれ配置されている構成としてもよい。
【００２１】
この構成によると、用紙取出部を複数備えることで、用紙を掴む位置をユーザに自由に選択させる構造とされている。
【００２２】
本発明に係る画像形成装置では、前記突出部は、前記積載トレイに積載された用紙の幅方向で前記積載トレイの中央部に配置されている構成としてもよい。
【００２３】
この構成によると、突出部によって用紙の幅方向における中央部を持ち上げることで、用紙の端部が垂れ下がることを防止している。
【００２４】
本発明に係る画像形成装置では、前記突出部は、前記積載トレイより上方に突出した複数の突出リブと、前記積載トレイを前記排出方向に延長する補助トレイとを備える構成とされ、前記突出リブは、前記積載トレイに積載された用紙の幅方向において、前記補助トレイの両隣にそれぞれ配置されている構成としてもよい。
【００２５】
この構成によると、補助トレイを備えることで、サイズの大きい用紙を積載した際に、用紙が滑り落ちることなく確実に保持される構造とされている。
【発明の効果】
【００２６】
本発明によると、突出部によって用紙を支え、用紙取出部によって用紙の下方に空間を設けることで、取出側から用紙を容易に回収できる構造とすることができる。つまり、積載トレイの端部に高さの異なる部分を形成して、ユーザが用紙を掴むための空間を設けた構造とすることで、ユーザの作業性を向上させることができる。
【図面の簡単な説明】
【００２７】
【図１】本発明の実施の形態に係る画像形成装置の概略側面図である。
【図２】本発明の実施の形態に係る画像形成装置の外観斜視図である。
【図３】本発明の実施の形態に係る画像形成装置の側面図である。
【図４】図２の矢符Ａ−Ａでの積載トレイ近傍を拡大して示す拡大断面図である。
【図５】用紙が積載された状態の積載トレイ近傍を示す拡大断面図である。
【図６】本発明の実施の形態に係る画像形成装置の変形例１での積載トレイ近傍を拡大して示す拡大断面図である。
【図７】本発明の実施の形態に係る画像形成装置の変形例２での積載トレイ近傍を拡大して示す拡大断面図である。
【図８】本発明の実施の形態に係る画像形成装置の変形例３での積載トレイ近傍を拡大して示す拡大断面図である。
【図９】本発明の実施の形態に係る画像形成装置の変形例４での積載トレイ近傍を拡大して示す拡大断面図である。
【発明を実施するための形態】
【００２８】
以下、本発明の実施の形態に係る画像形成装置について、図面を参照して説明する。
【００２９】
図１は、本発明の実施の形態に係る画像形成装置の概略側面図である。
【００３０】
画像形成装置１は、原稿を読み取って用紙に画像形成する複写機能を有しており、画像読取装置２、画像読取装置２の上側に設けられた原稿搬送装置（ＡＤＦ）３、画像読取装置２の下側に設けられた画像形成部４、給紙カセット５、および積載トレイ５０を備えている。なお、積載トレイ５０については、後述する図２および図４を参照して詳細を説明する。
【００３１】
原稿搬送装置３は、奥一辺のヒンジ（支点、図示しない）によって画像読取装置２に対して開閉自在に支持されており、手前側端部が上下されることによって開閉される。原稿搬送装置３が開かれると、画像読取装置２の上方が開放され、原稿を手置きで置くことができるようになっている。また、原稿搬送装置３は、載置された原稿を画像読取装置２の上に自動で搬送する。
【００３２】
画像読取装置２は、奥一辺のヒンジ（支点）４２によって画像形成部４に対して開閉自在に支持されており、手前側端部が上下されることによって開閉される。画像読取装置２を開くことで、画像形成装置１に内蔵された部品等のメンテナンスを行うことができる。画像読取装置２は、載置された原稿または原稿搬送装置３から搬送された原稿を読み取って画像データを生成する。
【００３３】
画像形成装置１では、ブラック（Ｋ）、シアン（Ｃ）、マゼンタ（Ｍ）、イエロー（Ｙ）の各色を用いたカラー画像、または単色（例えば、ブラック）を用いたモノクロ画像に応じた画像データが扱われる。画像形成部４には、４種類のトナー像を形成するための現像装置１２、感光体ドラム１３、ドラムクリーニング装置１４、および帯電器１５が４つずつ設けられ、それぞれがブラック、シアン、マゼンタ、およびイエローに対応付けられ、４つの画像ステーションＰａ、Ｐｂ、Ｐｃ、Ｐｄが構成されている。
【００３４】
ドラムクリーニング装置１４は、感光体ドラム１３の表面の残留トナーを除去および回収する。帯電器１５は、感光体ドラム１３の表面を所定の電位に均一に帯電させる。光走査装置１１は、感光体ドラム１３の表面を露光して静電潜像を形成する。現像装置１２は、感光体ドラム１３の表面の静電潜像を現像して、感光体ドラム１３の表面にトナー像を形成する。上述した一連の動作によって、各感光体ドラム１３の表面に各色のトナー像が形成される。
【００３５】
感光体ドラム１３の上側には、中間転写ベルト２１が配置されている。中間転写ベルト２１は、矢印Ｃの方向へ周回移動し、ベルトクリーニング装置２５によって残留トナーを除去および回収され、各感光体ドラム１３の表面に形成された各色のトナー像が順次転写して重ね合わされて、中間転写ベルト２１の表面にカラーのトナー像が形成される。
【００３６】
２次転写装置２６の転写ローラ２６ａは、中間転写ベルト２１との間にニップ域が形成されており、用紙搬送経路Ｒ１を通じて搬送されて来た用紙をニップ域に挟み込んで搬送する。用紙は、ニップ域を通過する際に、中間転写ベルト２１の表面のトナー像が転写されて定着装置１７に搬送される。
【００３７】
定着装置１７は、用紙を挟んで回転する定着ローラ３１および加圧ローラ３２を備えている。定着装置１７は、定着ローラ３１および加圧ローラ３２の間にトナー像が転写された記録用紙を挟み込んで加熱および加圧し、トナー像を記録用紙に定着させる。
【００３８】
給紙カセット５は、画像形成に使用する用紙を蓄積しておくためのトレイであり、光走査装置１１の下側に設けられている。用紙は、ピックアップローラ３３によって給紙カセット５から引き出されて、用紙搬送経路Ｒ１を通じて搬送され、２次転写装置２６や定着装置１７を経由し、用紙排出部３８に設けられた排紙ローラ３６を介して積載トレイ５０へと搬出される。用紙搬送経路Ｒ１には、用紙を一旦停止させて、用紙の先端を揃えた後、中間転写ベルト２１と転写ローラ２６ａとの間のニップ域でのカラーのトナー像の転写タイミングに合わせて用紙の搬送を開始するレジストローラ３４、用紙の搬送を促す搬送ローラ３５、および排紙ローラ３６が配置されている。
【００３９】
また、用紙の表面だけでなく、裏面に画像形成を行う場合は、用紙を排紙ローラ３６から反転経路Ｒｒへと逆方向に搬送して、用紙の表裏を反転させ、用紙をレジストローラ３４へと再度導き、表面と同様にして裏面に画像形成を行い、用紙を積載トレイ５０へと搬出する。
【００４０】
図２は、本発明の実施の形態に係る画像形成装置の外観斜視図であって、図３は、本発明の実施の形態に係る画像形成装置の側面図であって、図４は、図２の矢符Ａ−Ａでの積載トレイ近傍を拡大して示す拡大断面図である。
【００４１】
本発明の実施の形態に係る画像形成装置１は、用紙排出部３８から排出された用紙Ｐ（後述する図５参照）が積載される積載トレイ５０と、積載トレイ５０の上方に設けられ積載トレイ５０を覆う本体庇部６０（画像読取装置２の筐体）とを備えている。用紙排出部３８は、積載トレイ５０より上方に設けられ、画像形成部４に形成された開口部である。排紙ローラ３６は、例えば、用紙排出部３８に面して設けられたローラ対である。
【００４２】
以下では、説明の簡略化のため、積載トレイ５０に対して、用紙Ｐが積載される方向を積載方向Ｚと呼ぶ。つまり、積載方向Ｚで用紙排出部３８を基準として、本体庇部６０の側が上方に相当し、積載トレイ５０の側が下方に相当する。また、排出方向Ｘにおいて、用紙排出部３８の側を上流と呼び、後述する取出側トレイ端部５０ａの側を下流と呼ぶ。
【００４３】
図２および図３に示すように、画像形成部４の筐体の上面は、積載トレイ５０を設けた部分が周囲より低く形成されている。つまり、画像形成部４の筐体には、積載トレイ５０に積載される用紙Ｐの幅に沿った幅方向Ｙにおいて対向する側壁４ａが設けられ、積載トレイ５０は、この側壁４ａ間に挟まれて配置されている。
【００４４】
積載トレイ５０は、用紙排出部３８（図４では、右方）に沿うように設けられたトレイ基部５０ｃと、トレイ基部５０ｃから用紙排出部３８の反対側の端部（図４では、左方）に向かって延伸されたトレイ延伸部５０ｂと、トレイ延伸部５０ｂからさらに延伸された取出側トレイ端部５０ａとを備えている。トレイ基部５０ｃは、取出側トレイ端部５０ａ側に向かうに従って、上方へ傾斜しており、トレイ延伸部５０ｂは、用紙Ｐの排出方向Ｘに平行な平面とされている。また、取出側トレイ端部５０ａは、画像形成部４の筐体の一側面に連続するように設けられている。
【００４５】
このような構成において、積載トレイ５０は、取出側トレイ端部５０ａの幅方向Ｙの中央部に上方側へ突出した突出部５１が設けられ、この突出部５１の幅方向Ｙの両側に下方側に広がった用紙取出部５２がそれぞれ設けられている。
【００４６】
突出部５１は、積載トレイ５０より上方に突出した複数の突出リブ５１ａと、積載トレイ５０を排出方向Ｘに延長する補助トレイ５１ｂとを備える構成とされている。突出リブ５１ａは、幅方向Ｙにおいて、補助トレイ５１ｂの両隣にそれぞれ配置されている。具体的には、図２および図３に示すように、２つの突出リブ５１ａが幅方向Ｙに一定の距離を保って配置されており、２つの突出リブ５１ａの間に補助トレイ５１ｂが配置されている。
【００４７】
突出リブ５１ａは、トレイ延伸部５０ｂから下流に向かって延伸されている。つまり、突出リブ５１ａの上流側の端部は、トレイ延伸部５０ｂと同じ高さであって、取出側トレイ端部５０ａ（下流）に向かうに従って、徐々にトレイ延伸部５０ｂより高くなるように設けられている。また、補助トレイ５１ｂは、一端が取出側トレイ端部５０ａにトレイ延伸部５０ｂと同じ高さで固定され、他端が取出側トレイ端部５０ａから下流に向かって延伸されており、突出リブ５１ａと同様に、下流に向かうに従って、徐々にトレイ延伸部５０ｂより高くなるように設けられている。このように構成された突出部５１は、排出方向Ｘで庇傾斜部６０ｃと上下に対向する位置に設けられている。
【００４８】
用紙取出部５２は、排出方向Ｘで取出側トレイ端部５０ａに向かうに従って下方へ傾斜し、下方へ広がった構造とされている。また、用紙取出部５２は、上方に突出した凸曲面５２ａとされている。
【００４９】
本体庇部６０の下面６０ｂは、排出方向Ｘに平行な平面部６０ｄと、上方へ傾斜した庇傾斜部６０ｃとで構成されている。具体的には、庇傾斜部６０ｃは、用紙Ｐの排出方向Ｘで用紙排出部３８と反対側に位置する取出側本体端部６０ａに設けられ、平面部６０ｄから取出側本体端部６０ａに向かうに従って上方へ傾斜している。
【００５０】
なお、図４に示す第１境界線ＢＬ１は、平面部６０ｄと庇傾斜部６０ｃとの排出方向Ｘでの境界を示す境界線であり、第２境界線ＢＬ２は、突出部５１（特に、突出リブ５１ａ）とトレイ延伸部５０ｂとの排出方向Ｘでの境界を示す境界線である。また、第１補助線ＳＬ１は、突出リブ５１ａの傾斜に沿って下流へ延伸された補助線であり、第２補助線ＳＬ２は、庇傾斜部６０ｃの傾斜に沿って下流側へ延伸された補助線である。
【００５１】
庇傾斜部６０ｃの排出方向Ｘにおける用紙排出部３８側の端部は、突出リブ５１ａの排出方向Ｘにおける用紙排出部３８側の端部より、用紙排出部３８に近い位置に設定されている。つまり、第１境界線ＢＬ１は、第２境界線ＢＬ２より上流に位置している。
【００５２】
本実施の形態では、本体庇部６０は、上述した画像読取装置２の筐体に相当するが、これに限定されず、積載トレイ５０への埃等の堆積を防止するカバーなどであってもよい。また、本体庇部６０の表面には、画像形成装置１への指示を入力するためのキーやディスプレイなどが設けられている。
【００５３】
上述した構成において、第１補助線ＳＬ１と第２補助線ＳＬ２との積載方向Ｚでの間隔は、突出リブ５１ａと庇傾斜部６０ｃとの間隔を示している。なお、用紙取出部５２とトレイ延伸部５０ｂとの排出方向Ｘにおける境界は、第２境界線ＢＬ２と一致する位置とされている。
【００５４】
積載トレイ５０（特に、突出リブ５１ａおよび用紙取出部５２）と庇傾斜部６０ｃとの間隔（第１積載幅ＳＷ１および第２積載幅ＳＷ２）は、排出方向Ｘで取出側本体端部６０ａに向かうに従って広がった構造とされている。具体的には、庇傾斜部６０ｃは、排出方向Ｘに対して突出リブ５１ａよりも大きく傾斜した構造とされており、用紙排出部３８寄りの突出リブ５１ａと庇傾斜部６０ｃとの間隔（第１積載幅ＳＷ１）は、突出部５１より下流における第１補助線ＳＬ１と第２補助線ＳＬ２との間隔（第２積載幅ＳＷ２）よりも狭い。なお、第１積載幅ＳＷ１は、積載トレイ５０への用紙Ｐの最大積載量に応じて適宜設計され、例えば、最大積載量を普通紙において１５０枚とした場合、第１積載幅ＳＷ１は２５〜３０ｍｍ程度とされる。つまり、積載された用紙Ｐの厚さに対して、１０ｍｍ程度の余裕が確保されていればよい。
【００５５】
なお、補助トレイ５１ｂは、突出リブ５１ａより上方へ傾斜しているが、排出方向における突出リブ５１ａとの境界では、突出リブ５１ａより下方に配置されており、第１補助線ＳＬ１より上方へ突出しないように傾斜させている。また、庇傾斜部６０ｃは、補助トレイ５１ｂより上方へ傾斜している。
【００５６】
上述したように、突出部５１（特に、突出リブ５１ａ）によって用紙Ｐの幅方向Ｙにおける中央部を持ち上げることで、用紙Ｐの端部が垂れ下がることを防止することができる。
【００５７】
また、用紙取出部５２を複数備えることで、用紙Ｐを掴む位置をユーザに自由に選択させることができ、ユーザの作業性をさらに向上させることができる。
【００５８】
また、用紙取出部５２を凸曲面５２ａとすることで、内部の空間を広くすることができ、画像形成装置１の小型化に有効な構造とすることができる。
【００５９】
また、庇傾斜部６０ｃが突出部５１よりも用紙排出部３８に近い位置に設けられているため、突出部５１によって、積載トレイ５０と庇傾斜部６０ｃとの間隔が狭くならず、積載トレイ５０への用紙Ｐの積載量を確保することができる。
【００６０】
また、積載トレイ５０と庇傾斜部６０ｃとの間隔が徐々に広がった構造とすることで、積載トレイ５０への用紙Ｐの積載量をさらに確保することができる。
【００６１】
また、補助トレイ５１ｂを備えることで、サイズの大きい用紙Ｐを積載した際に、用紙Ｐが滑り落ちることなく確実に保持される構造とすることができる。
【００６２】
図５は、用紙が積載された状態の積載トレイ近傍を示す拡大断面図である。
【００６３】
図に示すように、用紙Ｐは、トレイ基部５０ｃおよびトレイ延伸部５０ｂに沿って積載され、第２境界線ＢＬ２より下流の取出側トレイ端部５０ａでは、幅方向Ｙの中央が突出部５１（突出リブ５１ａおよび補助トレイ５１ｂ）に支持され、幅方向Ｙの端部が用紙取出部５２から離間した上方に位置する。
【００６４】
ユーザは、取出側トレイ端部５０ａが設けられた側面から用紙取出部５２に手を挿入することで、積載トレイ５０に積載された用紙Ｐを摘んで取り出すことができる。
【００６５】
上述したように、突出部５１によって用紙Ｐを支え、用紙取出部５２によって用紙Ｐの下方に空間を設けることで、取出側から用紙Ｐを容易に回収できる構造とすることができる。つまり、積載トレイ５０の端部に高さの異なる部分を形成して、ユーザが用紙Ｐを摘むための空間を設けた構造とすることで、ユーザの作業性を向上させることができる。
【００６６】
また、用紙取出部５２を下方へ傾斜させて、用紙Ｐの下方の空間がさらに広くなる構造とすることで、ユーザの作業性をさらに向上させることができる。
【００６７】
次に、用紙取出部５２を異なる形状とした画像形成装置１の変形例１ないし変形例３について説明する。
【００６８】
図６は、本発明の実施の形態に係る画像形成装置の変形例１での積載トレイ近傍を拡大して示す拡大断面図である。
【００６９】
変形例１は、用紙取出部５２が傾斜面５２ｂとされている点で異なる。つまり、傾斜面５２ｂは、一様に傾斜した平面であって、図に示す第３補助線ＳＬ３は、傾斜面５２ｂの傾斜に沿って下流へ延伸された補助線である。第１補助線ＳＬ１と第３補助線ＳＬ３との積載方向Ｚでの間隔は、突出部５１（突出リブ５１ａ）と傾斜面５２ｂとの間隔を示している。用紙排出部３８寄りの突出部５１（突出リブ５１ａ）と傾斜面５２ｂとの間隔（第１段差ＤＷ１）は、突出部５１より下流における第１補助線ＳＬ１と第３補助線ＳＬ３との間隔（第２段差ＤＷ２）よりも狭い。つまり、傾斜面５２ｂは、排出方向Ｘで取出側トレイ端部５０ａに向かうに従って突出部５１との間隔が広くなる。
【００７０】
図７は、本発明の実施の形態に係る画像形成装置の変形例２での積載トレイ近傍を拡大して示す拡大断面図である。
【００７１】
変形例２は、用紙取出部５２が下方へ突出した凹曲面５２ｃとされている点で異なる。この構成によると、用紙取出部５２を凹曲面５２ｃとすることで、用紙Ｐの下方の空間がさらに広くなる構造とすることができる。
【００７２】
図８は、本発明の実施の形態に係る画像形成装置の変形例３での積載トレイ近傍を拡大して示す拡大断面図である。
【００７３】
変形例３は、用紙取出部５２が積載トレイ５０より下方に設けられた段差部５２ｄとされている点で異なる。この構成によると、平易な構造で用紙Ｐの下方の空間を広くすることができる。
【００７４】
また、変形例３では、補助トレイ５１ｂが設けられていない点で異なる。つまり、本発明において、補助トレイ５１ｂの有無は適宜選択することができる。
【００７５】
さらに、本発明では、突出リブ５１ａの数および形状について適宜選択することができる。つまり、図２および図３では、幅方向Ｙで幅の狭い突出リブ５１ａを２つ備える構成とされていたが、これに限定されず、例えば、幅方向Ｙで幅の広い突出リブ５１ａを１つ備える構成としてもよい。従って、突出部５１は、下流に向かうに従って上方へ傾斜した形状とされていればよい。
【００７６】
次に、本体庇部６０を異なる形状とした画像形成装置１の変形例４について説明する。
【００７７】
図９は、本発明の実施の形態に係る画像形成装置の変形例４での積載トレイ近傍を拡大して示す拡大断面図である。
【００７８】
変形例４は、庇傾斜部６０ｃにさらに上方へ傾斜した急傾斜部６０ｅが設けられている点で異なる。具体的には、急傾斜部６０ｅは、排出方向Ｘで庇傾斜部６０ｃの下流側の端部に設けられており、排出方向Ｘで補助トレイ５１ｂと上下に対向する位置に設けられている。図９において、第２補助線ＳＬ２は、急傾斜部６０ｅの傾斜に沿って下流側へ延伸された補助線とされている。なお、急傾斜部６０ｅの傾斜に応じて、補助トレイ５１ｂをさらに上方へ傾斜させてもよい。つまり、補助トレイ５１ｂより上方へ傾斜した急傾斜部６０ｅによって補助トレイ５１ｂの上方に広い空間が設けられ、補助トレイ５１ｂを上方へ傾斜させても、用紙Ｐの積載量を確保することができる。
【００７９】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００８０】
１  画像形成装置
３８  用紙排出部
５０  積載トレイ
５０ａ  取出側トレイ端部
５１  突出部
５１ａ  突出リブ
５１ｂ  補助トレイ
５２  用紙取出部
５２ａ  凸曲面
５２ｂ  傾斜面
５２ｃ  凹曲面
５２ｄ  段差部
６０  本体庇部
６０ａ  取出側本体端部
６０ｂ  下面
６０ｃ  庇傾斜部
６０ｄ  平面部
Ｐ  用紙
Ｘ  排出方向
Ｙ  幅方向
Ｚ  積載方向
【図１】
2014081535.tif 000003
【図２】
2014081535.tif 000004
【図３】
2014081535.tif 000005
【図４】
2014081535.tif 000006
【図５】
2014081535.tif 000007
【図６】
2014081535.tif 000008
【図７】
2014081535.tif 000009
【図８】
2014081535.tif 000010
【図９】
2014081535.tif 000011